(57)【要約】【課題】簡単な構成で、開閉扉の前後ガタを減少させると共に、ロック不良を解消する。【解決手段】遊技機（１０）の開閉扉（上皿ユニット１６）を固定枠（プラスチック枠ユニット１４）にロックするための、開閉扉（１６）又は固定枠（１４）のいずれか一方に配設された可動フック４２と、他方に固定されたフック受板５０とを備えた遊技機（１０）の開閉扉ロック機構において、前記可動フック４２のフック受板ロック面４２ａを斜面とする。【選択図】図６
2006345923.tif 000002
【特許請求の範囲】
【請求項１】
遊技機の開閉扉を固定枠にロックするための、開閉扉又は固定枠のいずれか一方に配設された可動フックと、他方に固定されたフック受板とを備えた遊技機の開閉扉ロック機構において、
前記可動フックのフック受板ロック面が斜面とされていることを特徴とする遊技機の開閉扉ロック機構。
【請求項２】
前記フック受板の取付位置が、可動フックの移動方向に調整可能とされていることを特徴とする請求項１に記載の遊技機の開閉扉ロック機構。
【請求項３】
前記可動フックのフック受板突当て面も斜面とされ、Ｖ字溝が形成されていることを特徴とする請求項１に記載の遊技機の開閉扉ロック機構。
【請求項４】
請求項１乃至３のいずれかに記載の開閉扉ロック機構を備えたことを特徴とする遊技機。
【発明の詳細な説明】
【技術分野】
【０００１】
本発明は、遊技機の開閉扉を固定枠にロックするため開閉扉ロック機構及び遊技機に係り、特に、前記開閉扉又は固定枠のいずれか一方に固定された可動フックと、他方に固定されたフック受板とを備えた遊技機の開閉扉ロック機構、及び、これを備えた遊技機に関する。
【背景技術】
【０００２】
遊技機、例えば図１（全て閉じた状態）及び図２（上皿ユニット及びガラス枠ユニットを開いた状態）に例示するようなパチンコ遊技機１０の開閉扉には、本体１２から開かれるプラスチック枠（以下単にプラ枠と称する）ユニット１４、該プラ枠ユニット１４から開かれる、上皿１８を備えた上皿ユニット１６、ガラス面２２を備えたガラス枠ユニット２０等がある。図において、２４は、下皿２６及び遊技球（図示省略）を遊技盤２８（図２）上に発射するための遊技球発射装置３０の操作ハンドル３２を備えた下皿ユニット、３４（図２）は発射レールである。
【０００３】
このようなパチンコ遊技機１０においては、前記開閉扉を固定枠にロックするためのロック機構が設けられている（特許文献１参照）。
【０００４】
従来の遊技機１０における上皿ユニット１６やガラス枠ユニット２０等の開閉扉のロック機構は、図３に、上皿ユニット１４のロック前のロック機構の斜視図を示す如く、開閉扉側と固定枠側のどちらか一方（図では上皿ユニット１６）に、例えば図の上下方向に動く可動フック４２が配設され、他方（図ではプラ枠ユニット１４）にフック受板５０が固定されている。ここで可動フック４２は、例えば引張コイルばね４４の付勢力等によって、ベース４０に対して一方向（図では上方向）に引き戻される構造となっている。
【０００５】
扉ロック時には、この可動フック４２が引張コイルばね４４の付勢力に抗してフック受板５０を乗り越え、引張コイルばね４４によって前記の一方向に引き戻される力によりロックされる。又、ロック状態で上皿突き当て部５２とプラ枠ユニット１４のある部位が接することで、上皿ユニット１６が更に閉じる方向に回転することを規制している。
【０００６】
図２及び図３は、開閉扉（上皿ユニット１６）側に可動フック４２、固定枠（プラ枠ユニット１４）側にフック受板５０を配置し、可動フック４２の可動方向は上下、引き戻される方向は上方であり、上皿突き当て部５２がフック受板５０と接するように構成した例を示している。
【０００７】
又、特許文献２や３には、図４に例示する如く、ロッド５８の上下動と連動して、回動軸６０の回りに回動するようにされた可動フック６２も記載されている。
【０００８】
【特許文献１】実公平６−１７４３号公報
【特許文献２】実公平６−１７４５号公報
【特許文献３】実公昭５７−８８６７号公報
【発明の開示】
【発明が解決しようとする課題】
【０００９】
しかしながら、従来の開閉扉のロック機構は、いずれも、前記したように、可動フック４２、６２とフック受板５０が、開閉扉側と固定枠側の別々に配置されているため、ロック時の両者の位置関係は、部品精度や組付誤差の影響によりばらつくことが避けられない。このばらつきによって、図３の例に対応する図５に示す可動フック４２のフック受板ロック面４２ａと、フック受板５０の可動フックロック面５０ａとの距離（ロックガタＬ１）が大きくなり、開閉扉の前後ガタが大きくなったり、逆にロックガタＬ１がマイナスとなって、可動フック４２が正規の上方位置まで戻れず、ロック不良が発生するという問題点を有していた。
【００１０】
このように開閉扉の前後ガタが大きいと、そこから針金を挿入する等、遊技中の不正行為を誘発する恐れがあると同時に、輸送中等の振動でロック機構を破損する恐れがある。ロック不良においても、上記の問題は共通し、更に明白な問題として、例えば、遊技球を発射レール３４（図２）上の発射位置上に送り出すための整流器と遊技球発射装置３０の位置関係がずれる等、機能的なものもある。
【００１１】
これは、特許文献２や３に記載されたような、図４に示した如く、回動式の可動フック６２のフック受板突当面６２ｂが、なだらかな斜面とされたロック機構でも同様である。
【００１２】
本発明は、前記従来の問題点を解消するべくなされたもので、簡単な構造で、開閉扉のロックガタを減少させると共に、ロック不良を防止することを課題とする。
【課題を解決するための手段】
【００１３】
本発明は、遊技機の開閉扉を固定枠にロックするための、開閉扉又は固定枠のいずれか一方に配設された可動フックと、他方に固定されたフック受板とを備えた遊技機の開閉扉ロック機構において、前記可動フックのフック受板ロック面を斜面とすることにより、前記課題を解決したものである。
【００１４】
又、前記フック受板の取付位置を、可動フックの移動方向に調整可能としたものである。
【００１５】
あるいは、前記可動フックのフック受板突当て面も斜面として、Ｖ字溝を形成したものである。
【００１６】
本発明は、又、前記の開閉扉ロック機構を備えたことを特徴とする遊技機を提供するものである。
【発明の効果】
【００１７】
本発明によれば、開閉扉の前後ガタを減少させて、不正行為を抑制すると共に、振動によるロック機構の破損を防止することができる。
【００１８】
又、ロック不良を解消することで、各ユニットの位置関係を正常に保つと共に、不正行為を抑制し、更に振動によるロック機構の破損を防止することができる。
【発明を実施するための最良の形態】
【００１９】
以下図面を参照して、本発明の実施形態を詳細に説明する。
【００２０】
本発明の第１実施形態は、図６に側面図を示す如く、可動フック４２のフック受板ロック面４２ａを、鉛直でなく斜めに傾斜させたものである。一方、図７に正面図を示すように、フック受板５０は、そのねじ取付孔５０ｂが上下方向に長い長孔となっており、プラ枠ユニット１４に対して上下方向の位置調整が可能とされている。
【００２１】
図６に、ロック時の可動フック４２と固定フック受板５０の位置関係を示すが、この場合、ロックガタＬ２は、フック受板５０の最下端での距離となり、図５に示した従来のロックガタＬ１に比べて小さくなる。
【００２２】
更に、ロックガタＬ２が大きい場合には、図７に示したねじ取付孔５０ｂを利用して、フック受板５０を下寄せ（前後ガタ減少側）に配置することで、ロックガタＬ２を減少させることができる。
【００２３】
逆にロックガタＬ２がマイナスである場合には、可動フック４２が正規の位置まで戻らずロック不良となる恐れがあるが、その場合は、ねじ取付孔５０ｂを利用してフック受板５０を上寄せ（ロック不良解消側）に配置することで、ロック不良を解消することができる。
【００２４】
次に、本発明の第２実施形態を詳細に説明する。
【００２５】
本実施形態は、図８に示す如く、可動フック４２のフック受板ロック面４２ａを斜面とするだけでなく、フック受板突き当て面４２ｂも急な斜面として、両者でＶ字溝４２ｃが形成されるようにしたものである。又、第１実施形態と異なり、上皿突き当て部５２は存在しない。
【００２６】
本実施形態において、ロック時は、図８に示す如く、可動フック４２が、Ｖ字溝４２ｃでフック受板５０の下端と接しているが、可動範囲内であるため、可動フック４２はフック受板５０を上方へ押し付ける力が生じている。この上方へ押し付ける力によって、Ｖ字溝４２ｃとフック受板５０を常に密着させることができ、上皿ユニット１６の前後ガタを抑制することが可能となる。
【００２７】
又、傾斜面４２ａ、４２ｂをＶ字型に構成し、上方へ押し付ける力の作用を利用しているため、可動フック４２が正規の位置（Ｖ字溝４２ｃがフック受板５０と密着する位置）以外で止まることはなく、ロック不良の発生を防止することができる。
【００２８】
なお、前記実施形態においては、いずれも、開閉扉（上皿ユニット１６）側に可動フック４２が配置され、固定枠（プラ枠ユニット１４）側にフック受板５０が固定されていたが、可動フック４２及びフック受板５０の配置関係は、これに限定されず、例えば、逆に上皿ユニット１６等の開閉扉側にフック受板５０を固定し、プラ枠ユニット１４等の固定枠側に可動フック４２を配置してもよい。
【００２９】
又、可動フック４２の可動方向も、前記実施形態のように上下方向に限定されず、左右あるいは任意の角度に傾斜した方向でもよい。但し、この場合フック受板５０は、可動フック４２の可動方向に合わせて配置する必要がある。更に、一方向に引き戻される方向も、可動方向のどちらかであれば任意であるが、第１実施形態においては、フック受板５０の調整方向（前後ガタ減少側、ロック不良解消側）が反転することとなる。
【００３０】
なお、前記実施形態においては、本発明がパチンコ遊技機に適用されていたが、本発明の適用対象は、これに限定されず、遊技機一般に同様に適用できる。
【図面の簡単な説明】
【００３１】
【図１】パチンコ遊技機の外観を示す斜視図
【図２】同じく上皿ユニット及びガラス枠ユニットを開放した状態を示す斜視図
【図３】特許文献１に記載された従来のロック機構の詳細を示す部分拡大斜視図
【図４】特許文献２に記載された従来のロック機構を示す側面図
【図５】従来のロック機構の問題点を説明するための側面図
【図６】本発明の第１実施形態のロック機構の要部を示す側面図
【図７】同じく正面図
【図８】本発明の第２実施形態のロック機構を示す側面図
【符号の説明】
【００３２】
１０…パチンコ遊技機
１４…プラスチック枠ユニット（固定枠）
１６…上皿ユニット（開閉扉）
２０…ガラス枠ユニット（開閉扉）
４２…可動フック
４２ａ…フック受板ロック面
４２ｂ…フック受板突当面
４２ｃ…Ｖ字溝
５０…フック受板
５０ａ…可動フックロック面
５０ｂ…ねじ取付孔
５２…上皿突き当て部
【図１】
2006345923.tif 000003
【図２】
2006345923.tif 000004
【図３】
2006345923.tif 000005
【図４】
2006345923.tif 000006
【図５】
2006345923.tif 000007
【図６】
2006345923.tif 000008
【図７】
2006345923.tif 000009
【図８】
2006345923.tif 000010